(57)【要約】【課題】  固形石鹸をふやけ難くするため、格子の下側に雫誘導片を設けた固形石鹸置き皿を提供する。【解決手段】  格子の下側に雫誘導片を直結設置することで、水が下にさがり雫誘導片の尖端部に雫が出来て落下し、落下に至らなかった雫は固形石鹸から雫誘導片の縦幅分離れているので、固形石鹸がふやけ難くなることを特徴とする固形石鹸置き皿。【選択図】図５
2017158988.tif 000002
【特許請求の範囲】
【請求項１】
脚壁によって設置面から少し脚高に成形された固形石鹸置き皿において、皿面の周囲の縁が次第に高くなるように湾曲斜面状に成形され、脚壁面に複数の大きくくり抜いた吹き抜け部を有し、水切りの為皿面の底部をくり抜き、丸みを帯びた格子を下向きに湾曲させて複数本設け、格子の下側に格子に対し接触直交してあたかも網格子に成るような形で雫誘導片を複数設けるが、各雫誘導片は垂直下方向へ徐々に薄く・先細り状になり、且つ、先端を上下方向波形に成形されており、それによって皿面に置かれた固形石鹸から滴る雫が速やかに格子の裏側へ伝え下りて雫誘導片の波形の尖端へ集り、遂に落下することを特徴とする固形石鹸置き皿。
【発明の詳細な説明】
【技術分野】
【０００１】  本発明は、固形石鹸がふやけ難いようにした、固形石鹸置き皿に関するものである。
【背景技術】
【０００２】  従来、既存品の多くの固形石鹸置き皿は、固形石鹸が滑り落ちないように周囲を少し高くし、水切りの為底部をくり抜き網目や格子状の物が一般的であり、網目や格子状は固形石鹸が削れ難いように丸みを帯びた形状で、緩やかな丸みの方を固形石鹸側にしてある。
【発明の開示】
【発明が解決しようとする課題】
【０００３】  そのため次のような問題点があった。
（１）固形石鹸が溶け出てゲル状に成り網目や格子に付着し、その下に水が表面張力により雫が付く。その雫がゲル状の石鹸を伝い固形石鹸をふやかすので乾燥に時間が掛かる。
（２）固形石鹸が乾ききらないうち複数回使うと雫を吸って軟らかくなり、網目や格子で削れて小さくなりもったいない。
本発明は、以上の問題点を解決するためになされたものである。
【課題を解決するための手段】
【０００４】（イ）脚壁によって設置面から少し脚高に成形された固形石鹸置き皿において、皿面の周囲の縁が次第に高くなるように湾曲斜面状に成形され、各々の脚壁面に複数の大きく切り欠いた吹き抜け部を設ける。
（ロ）水切りの為皿面の底部を格子状にくり抜いてあり、全ての格子が丸みを帯びて下方に膨らむ形で湾曲させる。
（ハ）格子の裏側に、格子に対し直結直交してあたかも網格子に成るような形で、雫誘導片を複数垂下状に設ける。この雫誘導片は垂直下方向へ徐々に薄く・先細り状になり、且つ、先端部を上下方向波形に成形されてあり雫が落ち易いようにする。
【発明の効果】
【０００５】  雫誘導片（２）は図６に示す様に波山状に先細りして垂下しており、下りて来た水は波山部の各尖端部（１１）に集合して落下するので、雫（４）による固形石鹸（３）のふやけが出来ない。又、尖端部（１１）に落ち残った雫（４）は固形石鹸（３）の置き面から雫誘導片（２）の縦幅分だけ離れているので、これによって固形石鹸（３）をふやかし難い。
【発明を実施するための形態】
【０００６】  図１に示すように、水きり部は丸みを帯びた格子（１）を下向きに湾曲させ、その下側に雫誘導片（２）を複数枚垂直に直結設置する。  図５参照。
【０００７】  雫誘導片（２）の先細り部（７）は図３、図６に示すように先細り波山状に成形垂下させてあり、尖端部（１１）に水が集合して雫（４）が落ち易いようにする。
【０００８】  図１に示す様に固形石鹸（３）が乾燥し易いように脚壁（８）に大きめの吹き抜け部（６）を複数設けてある。
以上のような構造にすると固形石鹸（３）がふやけ難くなり経済的になる。
理由は、既存の物は図２と図４に示すように溶け出た固形石鹸（３）が格子（１）に付着しゲル状（５）に成る。そこに水の表面張力で雫（４）が付く、その雫（４）はゲル状（５）を伝い固形石鹸（３）に到達する。固形石鹸（３）は親水性なので、その雫（４）を吸いふやけてしまう。
本発明は、雫誘導片（２）が格子（１）の下側に直結しているので、水は雫誘導片（２）を伝い下りて行き尖端部（１１）ら落ちる。  図３・図５参照。
図３に示すように雫（４）が尖端部（１１）に落ち残るが、固形石鹸（３）から雫誘導片（２）の縦幅分だけ離れているので固形石鹸（３）を溶かし難い。
雫誘導片（２）を格子（１）の下側に直交して垂下設置しているので、水切り部は網目状になり固形石鹸（３）が小さく・薄くなっても水切り部からは落ちない。  図１参照。
大きめの吹き抜け部（６）が脚壁（８）に複数あるので乾燥し易い。  図１参照。
本発明を使用するときは、従来どおりに使用する。
【図面の簡単な説明】
【０００９】
【図１】  本発明の斜視図
【図２】  既存品の使用中に際して、溶け出た固形石鹸が格子に付きゲル状に成った所に、雫が付いた状態を示す部分正面図
【図３】  本発明の使用中に際して、雫誘導片の尖端部にゲル状と雫が付いた状態と、落下中の雫を表した正面図
【図４】  既存品の使用中に際して、溶け出た固形石鹸が格子に付いてゲル状に成った所に雫が付いた状態を示す部分側面図
【図５】  本発明の使用中に際して、雫誘導片の尖端部から雫が落ちようとする状態を示す側面図
【図６】  本発明の一部である雫誘導片の先端部が薄く・先細り状になり、且つ上下方向に波形に成っている状態を示すイメージ図
【符号の説明】
【００１０】１  格子          ２  雫誘導片      ３  固形石鹸      ４  雫
５  ゲル状        ６  吹き抜け部    ７  先細り部      ８  脚壁
９  水抜き孔      １０  床          １１  尖端部      １２  落下中の雫
【図１】
2017158988.tif 000003
【図２】
2017158988.tif 000004
【図３】
2017158988.tif 000005
【図４】
2017158988.tif 000006
【図５】
2017158988.tif 000007
【図６】
2017158988.tif 000008
【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
脚壁によって設置面から少し脚高に成形された固形石鹸置き皿において、皿面の周囲の縁が次第に高くなるように湾曲斜面状に成形され、脚壁面に複数の大きくくり抜いた吹き抜け部を有し、水切り皿面の底部をくり抜いて、そこに丸みを帯びた複数の格子片を下向きに湾曲させて成る格子を設けてあり、格子の下側に各格子片に対し接触直交して、雫誘導片を複数設けてあり、各雫誘導片は垂直下方向へ徐々に薄く、先細り状になり、且つ、先端を上下方向波形に成形されており、それによって皿面に置かれた固形石鹸から滴る雫が速やかに格子の裏側へ伝え下りて雫誘導片の波形の尖端へ集り、遂に落下することを特徴とする固形石鹸置き皿。
【手続補正２】
【補正対象書類名】明細書
【補正対象項目名】全文
【補正方法】変更
【補正の内容】
【発明の詳細な説明】
【技術分野】
【０００１】      本発明は、固形石鹸がふやけ難いようにした、固形石鹸置き皿に関するものである    。
【背景技術】
【０００２】      従来、既存品の多くの固形石鹸置き皿は、固形石鹸が滑り落ちないように周囲を少    し高くし、水切りの為底部をくり抜き網目や格子状の物が一般的であり、網目や格子    状は固形石鹸が削れ難いように丸みを帯びた形状で、緩やかな丸みの方を固形石鹸側    にしてある。
【発明の開示】
【発明が解決しようとする課題】
【０００３】      そのため次のような問題点があった。
（１）固形石鹸が溶け出てゲル状に成り網目や格子に付着し、その下に水が表面張力          により雫が付く。その雫がゲル状の石鹸を伝い固形石鹸をふやかすので乾燥に          時間が掛かる。
（２）固形石鹸が乾ききらないうち複数回使うと雫を吸って軟らかくなり、網目や格          子で削れて小さくなりもったいない。
本発明は、以上の問題点を解決するためになされたものである。
【課題を解決するための手段】
【０００４】  （イ）脚壁によって設置面から少し脚高に成形された固形石鹸置き皿において、皿面の        周囲の縁が次第に高くなるように湾曲斜面状に成形され、各々の脚壁面に複数の        大きく切り欠いた吹き抜け部を設けてある。
（ロ）水切りの為皿面の底部を格子状にくり抜いてあり、全ての格子片が丸みを帯びて        下方に膨らむ形で湾曲させてある。
（ハ）格子の裏側に、格子に対し直結直交して、雫誘導片を複数垂下状に設ける。この        雫誘導片は垂直下方向へ徐々に薄く、先細り状になり、且つ、先端部を上下方向        波形に成形されてあり雫が落ち易いようにしてある。
【発明の効果】
【０００５】  雫誘導片（２）は図６に示す様に波山状に先細りして垂下しており、下りて来た水は波山部の各尖端部（１１）に集合して落下するので、雫（４）による固形石鹸（３）のふやけが出来ない。又、尖端部（１１）に落ち残った雫（４）は固形石鹸（３）の置き面から雫誘導片（２）の縦幅分だけ離れているので、これによって固形石鹸（３）をふやかし難い。
【発明を実施するための形態】
【０００６】    図１に示すように、水きり部は丸みを帯びた複数の格子片（１）から成る格子（Ａ）  を下向きに湾曲させ、その下側に雫誘導片（２）を複数枚垂直に直結設置する。    図  ５参照。
【０００７】    雫誘導片（２）の先細り部（７）は図３、図６に示すように先細り波山状に成形垂下  させてあり、尖端部（１１）に水が集合して雫（４）が落ち易いようにする。
【０００８】      図１に示す様に固形石鹸（３）が乾燥し易いように脚壁（８）に大きめの吹き抜け    部（６）を複数設けてある。
以上のような構造にすると固形石鹸（３）がふやけ難くなり経済的になる。
理由は、既存の物は図２と図４に示すように溶け出た固形石鹸（３）が格子（１）に付着しゲル状（５）に成る。そこに水の表面張力で雫（４）が付く、その雫（４）はゲル状（５）を伝い固形石鹸（３）に到達する。固形石鹸（３）は親水性なので、その雫（４）を吸いふやけてしまう。
本発明は、雫誘導片（２）が格子（Ａ）の下側に直結しているので、水は雫誘導片（  ２）を伝い下りて行き尖端部（１１）から落ちる。  図３・図５参照。
図３に示すように雫（４）が尖端部（１１）に落ち残るが、固形石鹸（３）から雫  誘導片（２）の縦幅分だけ離れているので固形石鹸（３）を溶かし難い。
雫誘導片（２）を格子（Ａ）の下側に直交して垂下設置しているので、水切り部は網  目状になり固形石鹸（３）が小さく・薄くなっても水切り部からは落ちない。  図１参  照。
大きめの吹き抜け部（６）が脚壁（８）に複数あるので乾燥し易い。  図１参照。
本発明を使用するときは、従来どおりに使用する。
【図面の簡単な説明】
【０００９】
【図１】  本発明の斜視図
【図２】  既存品の使用中に際して、溶け出た固形石鹸が格子片に付きゲル状に成った所に、雫が付いた状態を示す部分正面図
【図３】  本発明の使用中に際して、雫誘導片の尖端部にゲル状と雫が付いた状態と、落下中の雫を表した正面図
【図４】  既存品の使用中に際して、溶け出た固形石鹸が格子片に付いてゲル状に成った所に雫が付いた状態を示す部分側面図
【図５】  本発明の使用中に際して、雫誘導片の尖端部から雫が落ちようとする状態を示す側面図
【図６】  本発明の一部である雫誘導片の先端部が薄く・先細り状になり、且つ上下方向に波形に成っている状態を示すイメージ図
【符号の説明】
【００１０】  １  格子片          ２  雫誘導片      ３  固形石鹸      ４  雫
５  ゲル状          ６  吹き抜け部      ７  先細り部        ８  脚壁
９  水抜き孔        １０  床        １１    尖端部      １２  落下中の雫
Ａ  格子
【手続補正３】
【補正対象書類名】図面
【補正対象項目名】図１
【補正方法】変更
【補正の内容】
【図１】
2017158988.tif 000009